(57)【特許請求の範囲】
【請求項１】
フラクショナルＥ１／Ｔ１機能を利用するスレーブノードでのチャンネル設定方法であって、
ＰＰＰ（Ｐｏｉｎｔ  ｔｏ  Ｐｏｉｎｔ  Ｐｒｏｔｏｃｏｌ）を用いる接続プロセスの間に、変更可能な範囲内で終了スロットを再設定することによって、マスタノードとのＬＣＰ（Ｌｉｎｋ  Ｃｏｎｔｒｏｌ  Ｐｒｏｔｏｃｏｌ）セッションがオープンされたか検査する過程と、
前記ＬＣＰセッションがオープンされる場合、前記マスタノードとＩＰＣＰ（Ｉｎｔｅｒｎｅｔ  Ｐｒｏｔｏｃｏｌ  Ｃｏｎｔｒｏｌ  Ｐｒｏｔｏｃｏｌ）接続を行う過程と、
を含むことを特徴とする方法。
【請求項２】
変更可能な範囲内でタイムスロットを変更しつつ、マスタノードとのＬＣＰセッションがオープンされたか検査する過程は、
開始スロット及び終了スロットを初期値に設定する過程と、
設定された開始スロット及び終了スロットを利用して、マスタノードとのＬＣＰセッションオープンを試みる過程と、
設定された開始スロット及び終了スロットを利用するマスタノードとのＬＣＰセッションオープンが失敗する場合、前記終了スロットを再設定してマスタノードとのＬＣＰセッションオープンを試みる過程をマスタノードとのＬＣＰセッションオープンが成功するときまで繰り返す過程と、
を含むことを特徴とする請求項１に記載の方法。
【請求項３】
設定された開始スロット及び終了スロットを利用するマスタノードとのＬＣＰセッションオープンが失敗する場合、前記終了スロットを再設定してマスタノードとのＬＣＰセッションオープンを試みる過程をマスタノードとのＬＣＰセッションオープンが成功するときまで繰り返す過程は、
設定された開始スロット及び終了スロットを利用するマスタノードとのＬＣＰセッションオープンに失敗する場合、設定された終了スロットがスロットのうちの終了スロットであるか検査する過程と、
設定された終了スロットがスロットのうちの終了スロットではない場合、設定された終了スロットを一つ増加させてマスタノードとのＬＣＰセッションオープンを試みる過程と、
設定された終了スロットがスロットのうちの終了スロットである場合、設定された終了スロットを前記初期値に設定してマスタノードとのＬＣＰセッションオープンを試みる過程をマスタノードとのＬＣＰセッションオープンが成功するときまで繰り返す過程と、
を含むことを特徴とする請求項２に記載の方法。
【請求項４】
前記ＬＣＰセッションがオープンされる場合、前記マスタノードとＩＰＣＰ接続を行う過程は、前記マスタノードからＩＰアドレスを割当てられる過程を含むことを特徴とする請求項１乃至請求項３のいずれか１項に記載の方法。
【請求項５】
フラクショナルＥ１／Ｔ１機能を利用するマスタノードでのチャンネル設定方法であって、
ＰＰＰ（Ｐｏｉｎｔ  ｔｏ  Ｐｏｉｎｔ  Ｐｒｏｔｏｃｏｌ）を用いる接続プロセスの間に、終了スロットを再設定することによって、スレーブノードとのＬＣＰ（Ｌｉｎｋ  Ｃｏｎｔｒｏｌ  Ｐｒｏｔｏｃｏｌ）セッションがオープンされたか検査する過程と、
前記ＬＣＰセッションがオープンされる場合、前記スレーブノードとＩＰＣＰ接続を行う過程と、
を含むことを特徴とする方法。
【請求項６】
設定されたタイムスロットを利用してスレーブノードとのＬＣＰセッションがオープンされたか検査する過程は、
終了スロットを再設定することによって、前記スレーブノードからＬＣＰセッションオープン要請が受信されるか検査する過程を含むことを特徴とする請求項５に記載の方法。
【請求項７】
前記ＬＣＰセッションがオープンされる場合、前記スレーブノードとＩＰＣＰ接続を行う過程は、前記スレーブノードにＩＰアドレスを割当てる過程を含むことを特徴とする請求項５または請求項６のいずれか１項に記載の方法。
【請求項８】
フラクショナルＥ１／Ｔ１機能を利用してチャンネルを設定するスレーブノードの装置であって、
ＰＰＰ（Ｐｏｉｎｔ  ｔｏ  Ｐｏｉｎｔ  Ｐｒｏｔｏｃｏｌ）を用いる接続プロセスの間に、変更可能な範囲内で終了スロットを再設定することによって、マスタノードとのＬＣＰ（Ｌｉｎｋ  Ｃｏｎｔｒｏｌ  Ｐｒｏｔｏｃｏｌ）セッションがオープンされるか検査するＬＣＰ部と、
前記ＬＣＰセッションがオープンされる場合、前記マスタノードとＩＰＣＰ（Ｉｎｔｅｒｎｅｔ  Ｐｒｏｔｏｃｏｌ  Ｃｏｎｔｒｏｌ  Ｐｒｏｔｏｃｏｌ）接続を行う過程を含むＩＰＣＰ部と、
を含むことを特徴とする装置。
【請求項９】
前記ＬＣＰ部は、
開始スロット及び終了スロットを初期値に設定し、
設定された開始スロット及び終了スロットを利用してマスタノードとのＬＣＰセッションオープンを試み、
設定された開始スロット及び終了スロットを利用するマスタノードとのＬＣＰセッションオープンが失敗である場合、前記終了スロットを再設定してマスタノードとのＬＣＰセッションオープンを試みる過程をマスタノードとのＬＣＰセッションオープンが成功するときまで繰り返すことで、変更可能な範囲内でタイムスロットを変更しつつマスタノードとのＬＣＰセッションがオープンされるか検査する
ことを特徴とする請求項８に記載の装置。
【請求項１０】
前記ＬＣＰ部は、
設定された開始スロット及び終了スロットを利用するマスタノードとのＬＣＰセッションオープンに失敗する場合、設定された終了スロットがスロットにうちの終了スロットであるかを検査し、
設定された終了スロットがスロットのうちの終了スロットではない場合、設定された終了スロットを一つ増加させてマスタノードとのＬＣＰセッションオープンを試み、
設定された終了スロットがスロットのうちの終了スロットである場合、設定された終了スロットを前記初期値に設定してマスタノードとのＬＣＰセッションオープンを試みる過程をマスタノードとのＬＣＰセッションオープンが成功するときまで繰り返すことで、設定された開始スロット及び終了スロットを利用するマスタノードとのＬＣＰセッションオープンが失敗する場合、前記終了スロットを再設定してマスタノードとのＬＣＰセッションオープンを試みる過程をマスタノードとのＬＣＰセッションオープンが成功するときまで繰り返す
ことを特徴とする請求項９に記載の装置。
【請求項１１】
前記ＩＰＣＰ部は、前記マスタノードからＩＰアドレスを割当てられることで、前記マスタノードとＩＰＣＰ接続を行うことを特徴とする請求項８乃至請求項１０のいずれか１項に記載の装置。
【請求項１２】
フラクショナルＥ１／Ｔ１機能を利用してチャンネルを設定するマスタノードの装置であって、
ＰＰＰ（Ｐｏｉｎｔ  ｔｏ  Ｐｏｉｎｔ  Ｐｒｏｔｏｃｏｌ）を用いる接続プロセスの間に、終了スロットを再設定することによって、スレーブノードとのＬＣＰセッションがオープンされるか検査するＬＣＰ部と、
前記ＬＣＰセッションがオープンされる場合、前記スレーブノードとＩＰＣＰ接続を行うＩＰＣＰ部と、
を含むことを特徴とする装置。
【請求項１３】
前記ＬＣＰ部は、終了スロットを再設定することによって、前記スレーブノードからＬＣＰセッションオープン要請が受信されたか検査することで、設定されたタイムスロットを利用してスレーブノードとのＬＣＰセッションがオープンされるか検査することを特徴とする請求項１２に記載の装置。
【請求項１４】
前記ＩＰＣＰ部は、前記スレーブノードでＩＰアドレスを割当てることで、前記スレーブノードとＩＰＣＰ接続を行うことを特徴とする請求項１２または請求項１３のいずれか１項に記載の装置。
【発明の詳細な説明】
【技術分野】
【０００１】
本発明では、フラクショナル（Ｆｒａｃｔｉｏｎａｌ）Ｔ１を支援するためのチャンネル情報をノード両方に設定する必要なしにマスタノードにだけ設定すれば、スレーブノード方では該当設定を自動に検索してチャンネル設定を完了する装置及び方法に関する。
【背景技術】
【０００２】
基幹通信回線の中の一つであるＥ１／Ｔ１リンクの効率的な利用のために、一般的にフラクショナルＥ１／Ｔ１（Ｆｒａｃｔｉｏｎａｌ  Ｅ１／Ｔ１）機能を採用する。
【０００３】
フラクショナルＥ１／Ｔ１機能とは、物理的回路ストリーム（Ｐｈｙｓｉｃａｌ  Ｃｉｒｃｕｉｔ  Ｓｔｒｅａｍ）の媒介体としてＴ１の場合には全体２４個、Ｅ１の場合には全体で３２個のタイムスロット（Ｔｉｍｅ  Ｓｌｏｔ）を使用しなくても、要する容量だけのタイムスロットを利用する記法である。
【０００４】
通信データの容量が小さい場合、一つのＴ１回線を幾つかの通信事業者（或いはユーザ）が共有することができるので、リンクの効率性を高めて通信事業者の費用削減を達成することができる。
【０００５】
しかし、フラクショナルＴ１を支援するためには、通信ノード両方にて使用するフラクショナルチャンネルに対する設定情報（タイムスロット個数と番号）を共有していなければならない。
【０００６】
図１は、一般的なチャンネル設定過程を示す図である。
前記図１を参照すると、移動通信システムにてコア網装置（マスタノード、以下マスタノードと称する）１１０とアクセス装置（以下、スレーブノードと称する）１５０が、Ｔ１網１３０に接続されていると仮定すると、両方のノードは、初期動作の際、予め設定されたチャンネル情報に従って設定されると通信が可能になる。
【０００７】
Ｔ１網１３０は、タイムスロットスイッチ、マルチプレクサ、中継器で構成される。送信ノード（マスタノード）１１０は、予め定義されたＴ１タイムスロット（チャンネル）を介してデータをＴ１網へ送信する。タイムスロットに含むデータは、Ｔ１網１３０の中継器から次の装置に送信されて、Ｔ１網１３０のタイムスロット０スイッチは、特定タイムスロットを既設定された他のタイムスロットに変更する。
【０００８】
Ｔ１網１３０のマルチプレクサは、複数のＴ１のタイムスロットに含まれるデータを一つのＴ１に結合して送信する（少量のタイムスロットを要するノード間通信にて、Ｔ１使用効率のために、一つの長距離回線で複数の対のノード間通信を支援するために使用される）。
【０００９】
受信ノード（スレーブノード）１５０は、Ｔ１網１３０から既設定されたタイムスロットを介してデータを受信する。
【００１０】
ノード間通信のために、各ノードにおいてはＴ１網１３０を介し、どのようなタイムスロットを介してデータを送信及び受信を行うべきかを予め知っておく、定められたタイムスロットに送受信が可能であるようにチャンネル情報を設定しなければならない。
【００１１】
図２は、一般的なチャンネル設定変更過程を示す図である。
前記図２を参照すると、移動通信システムにてマスタノード２１０とスレーブノード２５０がＴ１網２３０に接続されていると仮定すれば、両方のノードは、初期動作の際、予め定められたチャンネル情報に従って設定されてから通信ができる。
【００１２】
前記マスタノード２１０は、運営者が常住する局社内に位置しているが、スレーブノード２５０は、主に運営者が安易に接近することが困難である所に設置され、また複数のスレーブノードを同時に設置することが頻繁にある。
【００１３】
フラクショナルＴ１を利用する場合に、運営者がスレーブノード２５０の初期設置の際、またはスレーブノード２５０を運営中にマスタノード２１０のチャンネルを変更する必要がある場合には、受動的にスレーブノード２５０のチャンネル情報を見つけて、これを設定しなければならない。
【００１４】
しかし、これは受動設定を要求し、受動設定をしない場合には、チャンネル設定が行わないという問題がある。従って、初期設置の際または運営中のチャンネル変更の際、変更事項を自動に設定することができる装置及び方法が必要である。
【発明の概要】
【発明が解決しようとする課題】
【００１５】
本発明の目的は、チャンネル自動設定のための装置及び方法を提供することにある。
本発明の他の目的は、移動通信システムにてスレーブノード設置の際もしくはマスタノードチャンネル情報を変更する際、スレーブノードのチャンネル自動設定が可能にすることによって、設置者または運営者がスレーブノードのチャンネル情報設定に対する詳細知識を習得しなくても、マスタノードとスレーブノード間の通信を可能にして通信網の運営容易性を増大させて運営費用を節減するための装置及び方法を提供することにある。
【課題を解決するための手段】
【００１６】
本発明の目的を達成するための第１見地によれば、フラクショナルＥ１／Ｔ１機能を利用するスレーブノードでのチャンネル設定方法であって、変更可能な範囲内でタイムスロットを変更しつつ、マスタノードとのＬＣＰ（Ｌｉｎｋ  Ｃｏｎｔｒｏｌ  Ｐｒｏｔｏｃｏｌ）セッションがオープンされたか検査する過程と、前記ＬＣＰセッションがオープンされる場合、前記マスタノードとＩＰＣＰ（Ｉｎｔｅｒｎｅｔ  Ｐｒｏｔｏｃｏｌ  Ｃｏｎｔｒｏｌ  Ｐｒｏｔｏｃｏｌ）接続を行う過程と、を含むことを特徴とする。
【００１７】
本発明の目的を達成するための第２見地によれば、フラクショナルＥ１／Ｔ１機能を利用するマスタノードでのチャンネル設定方法であって、設定されたタイムスロットを利用してスレーブノードとのＬＣＰセッションがオープンされたか検査する過程と、前記ＬＣＰセッションがオープンされる場合、前記スレーブノードとＩＰＣＰ接続とを行う過程と、を含むことを特徴とする。
【００１８】
本発明の目的を達成するための第３見地によれば、フラクショナルＥ１／Ｔ１機能を利用してチャンネルを設定するスレーブノード装置であって、変更可能な範囲内にてタイムスロットを変更しつつ、マスタノードとのＬＣＰ（Ｌｉｎｋ  Ｃｏｎｔｒｏｌ  Ｐｒｏｔｏｃｏｌ）セッションがオープンされたか検査するＬＣＰ部と、前記ＬＣＰセッションがオープンされる場合、前記マスタノードとＩＰＣＰ（Ｉｎｔｅｒｎｅｔ  Ｐｒｏｔｏｃｏｌ  Ｃｏｎｔｒｏｌ  Ｐｒｏｔｏｃｏｌ）接続を行う過程を含むＩＰＣＰ部と、を含むことを特徴とする。
【００１９】
本発明の目的を達成するための第４見地によれば、フラクショナルＥ１／Ｔ１機能を利用してチャンネルを設定するマスタノードの装置であって、設定されたタイムスロットを利用してスレーブノードとのＬＣＰセッションがオープンされたか検査するＬＣＰ部と、前記ＬＣＰセッションがオープンされる場合、前記スレーブノードとＩＰＣＰ接続を行うＩＰＣＰ部と、を含むことを特徴とする。
【発明の効果】
【００２０】
本発明は、スレーブノードの初期設置の際、またはマスタノードのチャンネル情報を変更する際、スレーブノードのチャンネル自動設定が可能にすることによって、設置者または運営者がスレーブノードのチャンネル情報設定に対する詳細知識を習得しなくても、マスタノードとスレーブノード間の通信を可能にすることから通信網の運営容易性を増大させ、運営費用を節減することができるという利点がある。
【図面の簡単な説明】
【００２１】
【図１】一般的なチャンネル設定過程を示す図である。
【図２】一般的なチャンネル設定変更過程を示す図である。
【図３】本発明の実施形態によるチャンネル設定過程を示す図である。
【図４】本発明の実施形態によるチャンネル設定変更過程を示す図である。
【図５】本発明の実施形態によるスレーブノードの動作過程を示すフローチャートである。
【図６】本発明の実施形態によるマスタノードの動作過程を示すフローチャートである。
【図７】本発明の実施形態によるスレーブノードのブロック構成を示す図である。
【図８】本発明の実施形態によるマスタノードのブロック構成を示す図である。
【発明を実施するための形態】
【００２２】
以下、本発明の好ましい実施形態を添付の図面を参照して詳しく説明する。そして、本発明を説明することにおいて、かかる公知機能もしくは構成に対する具体的な説明が、本発明の要旨を不明確にする恐れがあると判断される場合、その詳しい説明は略する。
以下、本発明のチャンネル自動設定のための装置及び方法に対して説明する。
【００２３】
図３は、本発明の実施形態によるチャンネル設定過程を示す図である。
前記図３を参照すると、マスタノード３１０は、Ｔ１網３３０を介してスレーブノード３５０とのチャンネル設定のために待機する。
【００２４】
前記スレーブノード３５０は、チャンネル設定のためのプログラムを駆動する。前記プログラムは、ＰＰＰ（Ｐｏｉｎｔ  ｔｏ  Ｐｏｉｎｔ  Ｐｒｏｔｏｃｏｌ）を利用する接続過程の中から、ＬＣＰ（Ｌｉｎｋ  Ｃｏｎｔｒｏｌ  Ｐｒｏｔｏｃｏｌ）接続を前記マスタノード３１０と繋ぐために、スロットを変更しつつ接続を試みる。
【００２５】
ＬＣＰは、リング設定監視及び認証を行なう機能を提供して、ノード間のＬＣＰパケットを交換することでその機能を提供する。ＬＣＰパケット通信もノード間チャンネル情報が設定された後に可能である。ＬＣＰパケット通信が可能な場合は、すなわちＬＣＰ接続が繋がっていることは、チャンネル情報が正しく設定されているということである。
【００２６】
ＬＣＰ接続が完了されると、前記スレーブノード３５０は、ＮＣＰ（Ｎｅｔｗｏｒｋ  Ｃｏｎｔｒｏｌ  Ｐｒｏｔｏｃｏｌ）接続過程を開始して、ＮＣＰ中の一つであるＩＰＣＰ（Ｉｎｔｅｒｎｅｔ  Ｐｒｏｔｏｃｏｌ  Ｃｏｎｔｒｏｌ  Ｐｒｏｔｏｃｏｌ）を利用する接続を開始してＩＰ割当過程を行う。
【００２７】
前記ＩＰＣＰは、ＬＣＰを介してセッションがオープンされた後に動作して、ＩＰアドレス割当などの機能を提供する。前記スレーブノードは、前記ＩＰＣＰを介してＩＰアドレスを割当てられる。
【００２８】
図４は、本発明の実施形態によるチャンネル設定変更過程を示す図である。
前記図４を参照すると、マスタノード４１０は、Ｔ１網４３０を介するスレーブノード４５０との通信の際に、チャンネル変更を行っている場合、前記スレーブノード４５０とのチャンネル設定のために待機する。
【００２９】
前記スレーブノード４５０は、チャンネル設定のためのプログラムを駆動する。前記プログラムは、ＰＰＰを利用する接続過程の中から、ＬＣＰ接続を前記マスタノード４１０と繋ぐためにスロットを変更しつつ接続を試みる。
【００３０】
ＬＣＰ接続が完了されると、前記スレーブノード４５０は、ＮＣＰ接続過程を開始して、ＮＣＰ中の一つであるＩＰＣＰを利用する接続を開始して、ＩＰ割当過程を行う。
【００３１】
図５は、本発明の実施形態によるスレーブノードの動作過程を示すフローチャートである。
前記図５を参照すると、スレーブノードは、チャンネル設定のためにＰＰＰ接続過程中のＬＣＰ接続を開始する。マスタノードは、チャンネル設定のためにＰＰＰ接続過程中のＬＣＰ接続のために待機している状態である。
【００３２】
前記スレーブノードは、ＬＣＰ接続開始の際、開始スロット及び終了スロットを０に設定する（ステップ５１０）。そして、設定された開始スロット及び終了スロット値を利用してＬＣＰ接続を試みて（ステップ５２０）、一定時間を待機する（約１０秒）（ステップ５３０）。
【００３３】
以後、設定された開始スロット及び終了スロット値を利用するＬＣＰ接続が成功である場合、すなわち、ＬＣＰセッションがオープンされる場合（ステップ５４０）、ＩＰＣＰ接続を開始して（ステップ５５０）、ＩＰ割当過程を行う（ステップ５６０）。
【００３４】
もし、設定された開始スロット及び終了スロット値を利用するＬＣＰ接続に失敗する場合、すなわち、ＬＣＰセッションオープンに失敗する場合（ステップ５４０）、設定された終了スロット値が、スロット値のうちの終了スロット値（例えば２３）であるか検査する。
【００３５】
もし、設定された終了スロット値が、スロット値のうちの終了スロット値（例えば２３）である場合（ステップ５４５）、設定された終了スロット値を０に再設定して（ステップ５４９）チャンネルを設定して（チャンネルグループを設定し）（ステップ５３５）、このように設定されたスロット値を利用してＬＣＰ接続を試みる（ステップ５２０）。以後の過程は上述の過程が繰り返される。
【００３６】
もし、設定された終了スロット値が、スロット値のうちの終了スロット値（例えば２３）ではない場合（ステップ５４５）、設定された終了スロット値を一つ増加させて（ステップ５４７）、チャンネルを設定して（チャンネルグループを設定して）（ステップ５３５）、このように設定されたスロット値を利用してＬＣＰ接続を試みて（ステップ５２０）、以後の過程を繰り返す。
【００３７】
ここで、スロットはタイムスロットを示す。そして、開始スロット値を初期設定された値を使用して、初期設定の際に他の値に設定されてもよいが、アルゴリズム動作の中からは変更されないと仮定する。
【００３８】
また、最初から最後までの終了スロット値が続いて繰り返される理由は、例外的な状況に対処するためのもので、マスタノードが例外的な状況にいて、応答をすることができない場合に備えるためである。
【００３９】
図６は、本発明の実施形態によるマスタノードの動作過程を示すフローチャートである。
前記図６を参照すると、前記マスタノードは、前記図５に示したように接続のための該当スロットを設定する（ステップ６１０）。すなわち、開始スロット及び終了スロットを定められた値に設定する。
【００４０】
以後、前記該当スロットでスレーブノードとのＬＣＰセッションがオープンされる場合（ステップ６２０）、前記該当スロットでＩＰＣＰ接続過程を行って（ステップ６３０）、ＩＰを前記スレーブノードで割当する（ステップ６４０）。
【００４１】
図７は本発明の実施形態によるスレーブノードのブロック構成を示す図である。
前記図７を参照すると、前記スレーブノードは、通信モデム７１０、制御部７２０、保存部７３０及びスレーブスロット管理部７４０で構成される。前記スレーブスロット管理部７４０は、ＬＣＰ部７５０及びＩＰＣＰ部７６０で構成される。
【００４２】
前記通信モデム７１０は、他のノードと通信するためのモジュールであって、有線処理部及び基底帯域処理部などを含めて構成される。前記有線処理部は、有線経路を介して受信される信号を基底帯域信号に変更して前記基底帯域処理部へ提供して、前記基底帯域処理部からの基底帯域信号を実際の有線経路上で送信することができるように有線信号に変更して前記有線経路を介して送信する。
【００４３】
前記制御部７２０は、前記スレーブノードの全般的な動作を制御する。特に、本発明によって前記スレーブスロット管理部７４０を制御する。
【００４４】
前記保存部７３０は、前記スレーブノードの全般的な動作を制御するためのプログラム及びプログラム処理中に発生する一時的なデータを保存する機能を行なう。
【００４５】
前記ＬＣＰ部７５０は、ＬＣＰ接続開始の際に開始スロット及び終了スロットを０に設定し、設定された開始スロット及び終了スロット値を利用するＬＣＰセッション接続を試みて一定時間を待機する。
【００４６】
前記ＬＣＰ部７５０は、設定された開始スロット及び終了スロット値を利用するＬＣＰ接続が成功である場合、すなわちＬＣＰセッションがオープンされる場合、これを前記スレーブスロット管理部７４０に報告する。以後、前記スレーブスロット管理部７４０は、前記ＩＰＣＰ部７６０へＩＰＣＰ接続過程を行うことを指示する。
【００４７】
前記ＬＣＰ部７５０は、設定された開始スロット及び終了スロット値を利用するＬＣＰ接続に失敗する場合、すなわち、ＬＣＰセッションオープンに失敗する場合、設定された終了スロット値がスロット値のうちの終了スロット値（例えば２３）であるか検査する。
【００４８】
もし、設定された終了スロット値が、スロット値のうちの終了スロット値（例えば２３）である場合、前記ＬＣＰ部７５０は設定された終了スロット値を０に再設定してチャンネルを設定して（チャンネルグループを設定して）、このように設定されたスロット値を利用してＬＣＰ接続を試みて以後の過程を繰り返す。
【００４９】
もし、設定された終了スロット値がスロット値のうちの終了スロット値（例えば２３）ではない場合、前記ＬＣＰ部７５０は、設定された終了スロット値を一つ増加させてチャンネルを設定して（チャンネルグループを設定して）、このように設定されたスロット値を利用してＬＣＰ接続を試みる。
【００５０】
前記ＩＰＣＰ部７６０は、前記スレーブスロット管理部７４０の制御下でＩＰＣＰ接続を開始してＩＰ割当過程を行う。
【００５１】
上述のブロック構成で、前記制御部７２０は、前記スレーブスロット管理部７４０の機能を行うことができる。また、前記ＬＣＰ部７５０及びＩＰＣＰ部７６０の機能すべてまたは一部を前記スレーブスロット管理部７４０が行なうことができる。
【００５２】
実際に製品を具現する場合に、前記スレーブスロット管理部７４０の機能すべてを前記制御部７２０で処理するように構成してもよく、前記機能のうち一部だけを前記制御部７２０で処理するように構成してもよい。
【００５３】
図８は本発明の実施形態によるマスタノードのブロック構成を示す図である。
前記図８を参照すると、前記マスタノードは、通信モデム８１０、制御部８２０、保存部８３０及びマスタスロット管理部８４０で構成される。前記マスタスロット管理部８４０は、ＬＣＰ部８５０及びＩＰＣＰ部８６０で構成される。
【００５４】
前記通信モデム８１０は、他のノードと通信するためのモジュールであって、有線処理部及び基底帯域処理部などを含めて構成される。前記有線処理部は有線経路を介して受信される信号を基底帯域信号に変更して前記基底帯域処理部に提供して、前記基底帯域処理部からの基底帯域信号を実際の有線経路上にて送信することができるように、有線信号に変更して前記有線経路を介して送信する。
【００５５】
前記制御部８２０は、前記マスタノードの全般的な動作を制御する。特に、本発明によって前記マスタスロット管理部８４０を制御する。
【００５６】
前記保存部８３０は、前記マスタノードの全般的な動作を制御するためのプログラム及びプログラム処理中に発生する一時的なデータを保存する機能を行なう。
【００５７】
前記ＬＣＰ部８５０は、開始スロット及び終了スロットを定められた値に設定する。以後、前記ＬＣＰ部８５０は、前記該当スロットでスレーブノードとのＬＣＰセッションがオープンされる場合、これを前記マスタスロット管理部８４０に報告する。以後、前記マスタスロット管理部８４０は、前記ＩＰＣＰ部８６０へＩＰＣＰ接続過程を行うことを指示する。
【００５８】
前記ＩＰＣＰ部８６０は、ＩＰＣＰ接続を開始してＩＰ割当過程を行う。すなわち、ＩＰアドレスを前記スレーブノードに割当てる。
【００５９】
上述のブロック構成で、前記制御部８２０は、前記マスタスロット管理部８４０の機能を行なうことができる。また、前記ＬＣＰ部８５０及びＩＰＣＰ部８６０の機能すべてまたは一部を前記マスタスロット管理部８４０が行なうことができる。
【００６０】
実際に製品を具現する場合に、前記マスタスロット管理部８４０の機能すべてを前記制御部８２０で処理するように構成してもよく、前記機能のうち一部だけを前記制御部８２０で処理するように構成してもよい。
【００６１】
一方、本発明の詳しい説明では具体的な実施形態に対して説明したが、本発明の範囲から外れない限度内で多様な変更が可能であることは勿論である。それで本発明の範囲は、説明された実施形態に限定されて定めてはならず、後述する特許請求の範囲だけではなくこの特許請求の範囲と均等なことによって定めるべきである。
【符号の説明】
【００６２】
７１０、８１０  通信モデム
７２０、８２０  制御部
７３０、８３０  保存部
７４０  スレーブスロット管理部
７５０、８５０  ＬＣＰ部
７６０、８６０  ＩＰＣＰ部
８４０  マスタスロット管理部
【図１】
0005635014.tif 000002
【図２】
0005635014.tif 000003
【図３】
0005635014.tif 000004
【図４】
0005635014.tif 000005
【図５】
0005635014.tif 000006
【図６】
0005635014.tif 000007
【図７】
0005635014.tif 000008
【図８】
0005635014.tif 000009